(57)【特許請求の範囲】
【請求項１】
略直方体の冷蔵庫を構成する断熱箱体の一側部に、下部を断熱箱体内側に後退させた階段状部を形成し、
該階段状部の上方断熱箱体内を冷却ユニットのクーリングユニット収納スペースとし、前記階段状部の下方の断熱箱体の外部をコンデンシングユニット収納スペースとし、
前記クーリングユニットの収納スペースの前面及び後面の断熱壁面に開口部を設け、該二つの開口部を閉鎖する二つの蓋体の内面側にそれぞれクーリングユニットを片持ち式に取り付け、該蓋体に取り付けられたクーリングユニットを前記前面及び後面の開口部からそれぞれ個別前記クーリングユニット収納スペースに挿入して前記蓋体により前記各開口部を閉鎖し、
一方前記コンデンシングツニット収納スペースに前記各クーリングユニットに個別に接続されるコンデンシングユニットを収納し、
前記クーリングユニットと前記コンデンシングユニットとにより二つの冷却ユニットを構成し、該二つの冷却ユニットを独立的に運転可能としたことを特徴とするパススルー型冷蔵庫。
【請求項２】
前記コンデンシングユニットは、凝縮器の熱交換面が前面となるように基板上に凝縮器、圧縮機等の各機器を取り付けたものであって、かつ、凝縮器の上部に前記蓋体を立設固定することによってコンデンシングユニットとクーリングユニットとを一体組み立て品として形成し、このように構成された二つの冷却ユニットを前記断熱箱体の前記一側部の前面及び後面それぞれからスライド式に挿入または引き出し可能に取り付けたことを特徴とする請求項１記載のパススルー型冷蔵庫。
【請求項３】
前記断熱箱体内において、前記クーリングユニットの庫内側に間隔をおいて断熱箱体内の底面から天井面に亙る仕切板を設け、該仕切板の下部に冷気吸入口を、上部に冷気吹出口を設け、前記冷気吸入口から吸い込んだ庫内空気を前記間隔を介して前記クーリングユニットに吸い込み、該クーリングユニットで冷却した空気を前記冷気吹き出し口から庫内に吹き出すように構成したことを特徴とする請求項１記載のパススルー型冷蔵庫。
【請求項４】
前面及び後面から挿入される前記２台の冷却ユニットは、凝縮器、凝縮器ファン、凝縮器ファン用モータ、圧縮機が同一部品であって、かつ、同一配置とされ、更に、蒸発器、蒸発器ファン及び蒸発器ファン用モータが同一部品であって、左右対称的な取り付けとなっていることを特徴とする請求項２記載のパススルー型冷蔵庫。
【請求項５】
前記開口部の蓋体の外面側に、前記冷却ユニットのコントロールパネルを取り付けたことを特徴とする請求項２記載のパススルー型冷蔵庫。
【請求項６】
前記断熱箱体の一側部の前面及び後面それぞれに、凝縮器の冷却空気取り入れ口及び排気口を有するフロントパネルを扉式に開閉可能に設けたことを特徴とする請求項５記載のパススルー型冷蔵庫。
【請求項７】
前記凝縮器の冷却空気取り入れ口を前記凝縮器の前面となるフロントパネルの下部に設け、前記凝縮器の冷却空気の排気口を前記フロントパネルの前記取り入れ口の上部に設け、コンデンシングユニットの上方で前記階段状部の側方外部側となる部分に凝縮器を冷却する冷却空気の排出通路となるスペースを設け、該スペースを前記排気口に連通させたことを特徴とする請求項６記載のパススルー型冷蔵庫。
【請求項８】
前記コンデンシングユニットの凝縮器の背部側方の冷蔵庫外板に、前記凝縮器の冷却空気の補助排気口を設けたことを特徴とする請求項７記載のパススルー型冷蔵庫。
【請求項９】
外観が前後面対称的に形成されていることを特徴とする請求項６〜８の何れか１項に記載のパススルー型冷蔵庫。
【発明の詳細な説明】
【０００１】
【発明の属する技術分野】
本発明は、パススルー型冷蔵庫の冷却ユニットの取り付け構造に関するものである。
【０００２】
【従来の技術】
パススルー型冷蔵庫は、例えば、特開平８−２１０７６５号公報で知られているように、前面及び後面に庫内扉を有し、前後両面から食材を出し入れすることができるものである。
この冷蔵庫は、レストランの厨房側から大皿に盛った料理を冷蔵庫に入れ、レストランの顧客側からウエイターまたはウエイトレスが頃合いを見計らって、顧客に提供するなど使用勝手が良く、飲食店等において業務用として多く用いられている。
【０００３】
しかし、この冷蔵庫は、庫内扉の開閉に伴う外気の侵入量が多く庫内温度の変化が激しくなる、また、営業ピーク時のごとく庫内扉の開閉頻度が激しいときには、冷却ユニットの能力が不足気味となり、設定温度に到達するのに時間が長くかかるという問題がある。この問題を解決するには、容量の大きい冷却ユニットを搭載すればよいのであるが、圧縮機の外形寸法が大きくなり、スペースの確保が困難であるという問題があった。
また、容量の大きい１台の冷却ユニットを搭載した場合には、冷凍負荷の小さいときに効率の悪い冷凍運転が強いられるという問題があった。
【０００４】
【発明が解決しようとする課題】
本発明は、このような従来の技術に存在する問題点に着目してなされたもので、その目的とするところは、容量の大きい冷却ユニットを省スペースで収納可能とし、しかも、冷却ユニットを効率よく運転することのできる冷蔵庫を提供することにある。
【０００５】
【課題を解決するための手段】
上述の目的を達成するために、請求項１に記載の本発明では、略直方体の冷蔵庫を構成する断熱箱体の一側部に、下部を断熱箱体内側に後退させた階段状部を形成し、
該階段状部の上方断熱箱体内を冷却ユニットのクーリングユニット収納スペースとし、前記階段状部の下方の断熱箱体の外部をコンデンシングユニット収納スペースとし、
前記クーリングユニットの収納スペースの前面及び後面の断熱壁面に開口部を設け、該二つの開口部を閉鎖する二つの蓋体の内面側にそれぞれクーリングユニットを片持ち式に取り付け、該蓋体に取り付けられたクーリングユニットを前記前面及び後面の開口部からそれぞれ個別前記クーリングユニット収納スペースに挿入して前記蓋体により前記各開口部を閉鎖し、
一方前記コンデンシングツニット収納スペースに前記各クーリングユニットに個別に接続されるコンデンシングユニットを収納し、
前記クーリングユニットと前記コンデンシングユニットとにより二つの冷却ユニットを構成し、該二つの冷却ユニットを独立的に運転可能としたものである。
【０００６】
請求項２に記載の本発明では、前記コンデンシングユニットは、凝縮器の熱交換面が前面となるように基板上に凝縮器、圧縮機等の各機器を取り付けたものであって、かつ、凝縮器の上部に前記蓋体を立設固定することによってコンデンシングユニットとクーリングユニットとを一体組み立て品として形成し、このように構成された二つの冷却ユニットを前記断熱箱体の前記一側部の前面及び後面それぞれからスライド式に挿入または引き出し可能に取り付けたものである。
【０００７】
請求項３に記載の本発明では、前記断熱箱体内において、前記クーリングユニットの庫内側に間隔をおいて断熱箱体内の底面から天井面に亙る仕切板を設け、該仕切板の下部に冷気吸入口を、上部に冷気吹出口を設け、前記冷気吸入口から吸い込んだ庫内空気を前記間隔を介して前記クーリングユニットに吸い込み、該クーリングユニットで冷却した空気を前記冷気吹き出し口から庫内に吹き出すように構成したものである。
【０００８】
請求項４に記載の本発明では、前面及び後面から挿入される前記２台の冷却ユニットは、凝縮器、凝縮器ファン、凝縮器ファン用モータ、圧縮機、蒸発器が同一部品であって、かつ、同一配置とされ、更に、蒸発器ファン及び蒸発器ファン用モータが同一部品であって、左右対称的な取り付けとなっているものである。
【０００９】
請求項５に記載の本発明では、前記開口部の蓋体の外面側に、前記冷却ユニットのコントロールパネルを取り付けたものである。
【００１０】
請求項６に記載の本発明では、前記断熱箱体の一側部の前面及び後面それぞれに、凝縮器の冷却空気取り入れ口及び排気口を有するフロントパネルを扉式に開閉可能に設けたものである。
【００１１】
請求項７に記載の本発明では、前記凝縮器の冷却空気取り入れ口を前記凝縮器の前面となるフロントパネルの下部に設け、前記凝縮器の冷却空気の排気口を前記フロントパネルの前記取り入れ口の上部に設け、コンデンシングユニットの上方で前記階段状部の側方外部側となる部分に凝縮器を冷却する冷却空気の排出通路となるスペースを設け、該スペースを前記排気口に連通させたものである。
【００１２】
請求項８に記載の本発明では、前記コンデンシングユニットの凝縮器の背部側方の冷蔵庫外板に、前記凝縮器の冷却空気の補助排気口を設けたものである。
【００１３】
請求項９に記載の本発明では、外観が前後面対称的に形成されているものである。
【００１４】
上記のように構成された請求項１記載のパススルー型冷蔵庫にあっては、冷蔵庫の一側部に冷却ユニットを２台に分けて収納されるので、収納スペースの幅が狭くでき、また、下方にコンデンシングユニットが設けられ、その上方にクーリングユニットが配置される構造となっているので、スペースを立体的に活用できる。従って、冷却ユニットの収納スペースの幅寸法を大きくすることなく、冷却ユニットの容量を大きくすることができる。
また、２台の冷却ユニットを搭載しているので、１台故障しても他の１台で急場しのぎの運転が可能となる。また、冷却負荷に応じて運転台数を１台又は２台使い分けできるので、冷却ユニットの運転効率が向上する。更に、除霜運転は１台ごとに行うことができ、庫内の温度変化を少なくすることができる。
【００１５】
また、請求項２記載のパススルー型冷蔵庫にあっては、クーリングユニットとコンデンシングユニットとを冷却ユニットとして予め一体的に組み立てることができ、また、組み立てた冷却ユニットを前面及び後面からスライド式に挿入または引き出し可能に取り付けられているので、冷却ユニットの取り付け作業、アフターサービス作業が容易となる。また、冷却ユニットは前後面から同じようにスライド式に挿入されているので、冷却ユニットの取り付け構造としては前後何れの面も正面として取り扱える。
【００１６】
また、請求項３記載のパススルー型冷蔵庫にあっては、仕切板の下部に設けられた冷気吸入口から庫内空気を吸い込み、仕切板上部の冷気吹出口から蒸発器で冷却された冷気が吹き出されることになり、庫内の冷却温度分布が良好となる。
【００１７】
また、請求項４記載のパススルー型冷蔵庫にあっては、凝縮器、凝縮器ファン、凝縮器ファン用モータ、圧縮機、蒸発器、蒸発器ファン、蒸発器ファン用モータの主要部品が共通化され、また、これら部品が共通的または対称的取り付けとされているので、冷却ユニットが略標準化され、製造コストが低減される。
【００１８】
また、請求項５記載のパススルー型冷蔵庫にあっては、コントロールパネルが前面上方に配置されることになり、冷却ユニットの発停作業やアフターサービス時における操作、点検作業が容易となる。
【００１９】
また、請求項６記載のパススルー型冷蔵庫にあっては、前面及び後面に冷却ユニットのフロントパネルが扉式に開閉可能に設けられているので、常にこのフロントパネルの開閉スペースが確保される。また、このフロントパネルにコンデンシングユニットの冷却空気の取り入れ口及び排出口が設けられているので、冷蔵庫側面を壁面に沿わせるような取り付け状況にも対応できる。
【００２０】
また、請求項７記載のパススルー型冷蔵庫にあっては、コンデンシングユニットの上方に冷却空気の排気通路としてスペースが設けられているので、冷却空気の流通が円滑に行われる。
【００２１】
また、請求項８記載のパススルー型冷蔵庫にあっては、凝縮器の背部側方の冷蔵庫外板に冷却空気の補助排気口が設けられているので、冷却空気の流通抵抗が低減され、ファンの所要動力が低減される。
【００２２】
また、請求項９記載のパススルー型冷蔵庫にあっては、前後面が外観上対称的に形成されるので、作業勝手あるいは据え付け条件により、冷蔵庫の向きを１８０度変更しても何ら不都合が生じない。
【００２３】
【発明の実施の形態】
本発明の実施の形態について、添付図面を参照して詳細に説明する。尚、以下の本実施の形態の説明において、特に断りのない限り、前後は、図１における紙面と垂直の方向を前後とし、手前側を前面とする、また、左右は、図１における左右を説明上もそのまま左右とする。
【００２４】
図１は、本実施の形態に係るパススルー型冷蔵庫の縦断面図であって、略直方体外の断熱箱体１の左方側部は、下部が断熱箱体１の内側方向へ後退した階段状部２に形成され、この階段状部２の上方、即ち、断熱箱体１の内側は後述する冷却ユニットのクーリングユニット収納スペース５とされている。また、階段状部２の下方、即ち、断熱箱体１の外部は、冷却ユニットのコンデンシングユニット収納スペース６とされている。また、図２に示されるように、この階段状部２の上部前面の断熱壁面には開口部３が設けられ、また、図示されていないが階段状部２の後面の断熱壁面にも同様に開口部３が設けられている。
そして、この開口部３には蓋体４が用意されており、後述するようにこの蓋体４にクーリングユニット１０が取り付けられている。また、この蓋体４はクーリングユニット１０挿入後に開口部３を閉鎖して断熱箱体１を形成するものであるので、断熱材機能を有するものとして構成されている。
【００２５】
次に、冷却ユニットについて説明する。図３において、２１は、平面形状が長方形の基台であって、手前側に基台２１を引っ張るための把手２１ａが形成されている。この把手２１ａは基台２１の底板を上方に立ち上げたものである。また、この基台２１上に凝縮器２２が、その熱交換面が前面を形成するように取り付けられている。そして、この凝縮器２２の背面側にファンガイド２３、プロペラ型の凝縮器ファン２４及び凝縮器ファン用モータ２５が取り付けられている。尚、２５ａは、ファン用モータ２５の取り付け台である。
また、凝縮器ファン用モータ２５の後方には、圧縮機２６が防振ゴム２７を介して基台２１に取り付けられている。以上により冷却ユニットのコンデンシングユニット２０が形成されている。
【００２６】
上記凝縮器２２の上板２２ａの上面にＬ字型の固定板２８が取り付けられ、この固定板２８にクーリングユニット収納室５の開口部３の蓋体４が垂直に支持固定されている。
そして、クーリングユニット１０の蒸発器１１は、前記蓋体４の後面に蒸発器１１の側板を固定部材１５を介して固定することにより片持ち式に支持されている。従って、蒸発器１１は、熱交換面が蓋体４と垂直をなすように取り付けられている。また、蒸発器１１の前後を覆うようにファンガイド１２が形成され、このファンガイド１２の図３における蒸発器１１の前側部分に蒸発器ファン１３及び蒸発器ファン用モータ１４が取り付けられている。尚、図３において、１６は、蒸発器１１のデフロスト用ガラス管ヒータで、蒸発器１１の下方前面に取り付けられている。また、１７は庫内温度検出用サーミスタである。
また、前記蓋体４の前面には冷却ユニットのコントロールパネル３０が取り付けられている。
以上のような構成により、冷却ユニットはクーリングユニット１０とコンデンシングユニット２０とが一体的に組み立て形成されている。
【００２７】
クーリングユニット収納室５の側部左側の側面外板３７は、前記断熱箱体１とは空間を隔てて設けられており、前記階段状部２下方のコンデンシングユニット収納スペース６を少し広げて大きくするとともに、階段状部２の上部側面部にコンデンシングユニットの冷却空気の排気通路７としてのスペースを形成している。
【００２８】
本実施の形態の冷蔵庫は、図５及び図６の前面から見た斜視図から明らかなように、観音開きの庫内扉３１、３２と、冷却ユニットを引き出し可能とするように片開き式に開閉可能とされたフロントパネル３５とが前面に形成されており、後面においても、前面と対称的な位置に観音開きの庫内扉３３、３４と前記と同様のフロントパネル３６とが形成されている。
フロントパネル３５、３６は下方にコンデンシングユニットの冷却空気の取り入れ口４１が、また上部に前記排気通路７に連通する排気口４２が設けられている。また排気口４２の右方にはコントロールパネルの覗き窓４３が形成されている。
また、コンデンシングユニット収納スペース６の左側面外板３７には、図５及び６に示されるように、冷却空気の補助排気口４４が前後対称的に設けられている。
この冷蔵庫の外観は以上のように形成され、外観的には前後対称的とされ、使用者の眼からはどちらが前面と特定できないように構成されている。尚、図１、５及び７における符号９は、本冷蔵庫の脚である。
【００２９】
図２は、前記冷却ユニットを収納した側部の斜視図で、かつ、冷蔵庫の左側面の外板３７を取りはすし、更に冷蔵庫の前面及び後面に形成されたフロントパネル３５、３６を開放し、この扉口から把手２１を引っ張るなどして、冷却ユニットを引きずり出した状態を示している。
コンデンシングユニット収納スペース６は、底部に前記基台２１より若干幅広の断面コの字状の二つのユニットベース５１を前後に配している。このユニットベース５１は、その側面部を利用して断熱箱体１にネジ止めされている。また、各ユニットベース５１の手前側側面部には、それぞれ二つのフレーム５２がネジ止めにより立設固定され、上部は前記階段状部２の上方の断熱箱体１の側面部にネジ止めにより固定されている。更に、コンデンシングユニット収納スペース６は、２枚のリヤパネル５３により仕切られ、また、コンデンシングユニット収納スペース６の上部の冷却空気の排気通路７も、遮蔽板５４により前後に仕切られ、それぞれ二分されている。
【００３０】
前記のように構成された冷却ユニットは、前後のフロントパネル３５、３６の両扉口から、ユニットベース５１上に基台２１がはめ込んで載せられ、ユニットベース５１上で図２の白抜き矢印方向にスライドされて、内部に押し込まれている。このようにして、コンデンシングユニット２０が前記階段状部２の下方、即ち、コンデンシングユニット収納スペース６に収納され、また、クーリングユニット１０が前記階段状部２上方の断熱箱体内、即ち、クーリングユニット収納スペース５に収納される。また、冷却ユニットが所定位置に押し込まれた状態では、前記蓋体４が前記開口部３に当接し、また、開口部３の上下部から外側に突出した固定ボルト３８が蓋体４に設けられたボルト孔４１に挿通される。そして、この固定ボルトにナットを締め付けることにより、蓋体４が開口部３に固定される。
【００３１】
また、冷却ユニットは、上記のように構成され、かつ収納されるものであるので、前面側の冷却ユニットと後面側の冷却ユニットとは、凝縮器２２、凝縮器ファン２４、ファンガイド２３、凝縮器ファン用モータ２５、蒸発器１１、ファンガイド１２、蒸発器フアン１３、蒸発器ファン用モータ１４、ユニットベース５１等の主要部品は同一構成とされ、蒸発器１１、ファンガイド１２、ユニットベース５１等の一部部品は前後対称的な取り付けとされている。尚、同一部品を対称的に取り付けるために、前面側用及び後面側用の固定手段が予め設けられている。例えば、ファンガイド１２は、蒸発器１１の側板にネジ止めされているが、このファンガイド１２を先ず左右対称的に形成し、蒸発器１１に設けるネジ孔を、前記側板の左右何れにも設けておくことにより、前後対称的に取り付け可能となる。また、ユニットベース５１については、その左右の側板に断熱箱体１への固定用ネジ孔を設けておくことにより、前後対称的に取り付け可能となる。
【００３２】
次に、図１及び図７に示されるように断熱箱体１内において、前記階段状部２の右方、即ち、蒸発器１１の熱交換面の前方には所定の間隔をおいて仕切板６１が設けられている。そして、この仕切板６１と階段状部２の下部の断熱箱体１の壁面との空間が庫内空気の吸入通路６２とされている。また、この吸入通路６２の前面に位置する仕切板６１の部分には開口部６３が設けられ、この開口部６３に、グリル状の冷気吸入口６４と、食材等の貯蔵品と冷気吸入口６４との間に所定のスペースを確保するための当たり部材６５とを有するグリル板６６が取り付けられている。このグリル板６６は、下辺を除く三辺がＬ字型に折り曲げられて全体としては薄い箱型に形成され、前記三辺において仕切板６１にネジ止めされ、下辺は庫内空気を吸入通路６２に取り入れる開口部とされている。また、仕切板６１の上部には、冷気吹出口６７が設けられ、この冷気吹出口６７と蒸発器１１の熱交換面との間には、板状の冷気案内板６８が斜めに配設されている。
【００３３】
上述の如く構成され収納された２台の冷却ユニットが運転された場合、コンデンシングユニット２０においては、図４の実線矢印の如く、フロントパネル３５の冷却空気取り入れ口４１から冷却空気が吸入される。そして、この冷却空気は凝縮器２２に導かれ、凝縮器２２を冷却して自らは加熱されて背部へ送られ、一部は冷蔵庫の側面外板３７に設けられた補助排気口４４より排気され、残部は冷却空気の排気通路７を通して、フロントパネル３５の上部の排気口４２から排気される。
一方、庫内のクーリングユニット１０においては、仕切板６１に取り付けられたグリル板６６の冷気吸入口６４から吸入された冷気が吸入通路６２を介して蒸発器１１に流れ、該蒸発器１１により冷却された後、冷気案内板６８に案内されて冷気吹出口６７から庫内に吹き出され、庫内の食材を冷却する。
【００３４】
また、上記２台の冷却ユニットの運転制御は次のように行う。
運転立ち上がり状態では、冷却ユニット２台で同時に冷却運転を行い庫内を冷却させる。そして、所定温度に達したら２台の冷却ユニットの内１台を停止させ、残り１台で庫内冷却運転を行う。そして、営業中等において、庫内扉３１〜３４の開閉が頻繁になり、冷却負荷が大きくなり庫内温度が上昇して来た場合は、冷却ユニット２台で運転するように制御する。
【００３５】
また、このように運転制御するために、冷却ユニットそれぞれの庫内設定温度を異ならしめる。例えば、一方の冷却ユニットの庫内設定温度を３℃、他方の冷却ユニットの庫内設定温度を５℃とすると、庫内温度の高い立ち上がり状態では２台の冷却ユニットが共に運転される。庫内温度が５℃になると、庫内設定温度を５℃と設定された一方の冷却ユニットは運転停止され、他方の冷却ユニットのみで運転される。そして、庫内温度がさらに低下して３℃になると、２台の冷却ユニットは共に運転停止される。また、庫内温度が再び３℃を越える場合は庫内設定温度が３℃に設定された冷却ユニットが運転を再開する。また、庫内扉３１〜３４の開閉が頻繁になり冷却負荷が増大し、庫内温度が５℃を越えるようになると２台の冷却ユニットが共に運転されるようになる。
このように２台の冷却ユニットを運転制御すると、冷却負荷に応じて台数制御が可能になる。また、１台の冷却ユニットが故障した場合には、他の１台の冷却ユニットで応急的に冷蔵庫の運転を継続することができる。
【００３６】
次に、蒸発器１１は長時間運転していると、フロストする。この場合には、蒸発器１１の吸い込み面部分に配設されたデフロスト用サーミスタ（図示せず）がフロストした蒸発器１１の温度低下を検知し、その冷却ユニットの運転を停止し、デフロスト用ガラス管ヒータ１６を作動させてデフロスト運転が行われる。しかし、本実施の形態の場合は、前記のごとく２台の冷却ユニットを前記の如く運転制御しているので、２台の冷却ユニットが同時にデフロストされることは確率的に少なく、概ね交互にデフロスト運転されることになる。従って、１台の大容量の冷却ユニットを使用している場合には、デフロスト期間中冷却運転が停止されるため、庫内温度が上昇し易いが、本実施の形態の場合には庫内温度の変化が少なくなる。
【００３７】
尚、本発明は、次のように変更して具体化することができる。
（１）  冷蔵庫の左側面外板３７の補助排気口４４は必要に応じて設ければよく、必須のものではないので省略することが可能である。
（２）  庫内扉３１〜３４は一対のものが前後面それぞれに設けられているが、この庫内扉３１〜３４を上下に分割した構成としてもよい。
【００３８】
【発明の効果】
本発明は、以上のように構成されているため次のような効果を奏する。
請求項１記載の発明によれば、冷却ユニットを２台としたこと、及びクーリングユニットとコンデンシングユニットとを上下に配置したことにより、無駄な収納スペースを削減することができる。また、１台の冷却ユニットが故障しても他の冷却ユニットにより冷却運転を継続することができる。また、冷却負荷に応じ運転台数を切り換え効率のよい運転を行うことができる。また、蒸発器の除霜運転を交互に行うことにより、庫内温度の変化を低減することができる。
【００３９】
請求項２記載の発明によれば、冷却ユニットをスライド式に収納または引き出し可能としたので、組み立て作業及びアフターサービスが容易となる。
【００４０】
請求項３記載の発明によれば、冷気は庫内に対し下吸い込み上吹き出しとされるので、効率よく庫内が冷却される。
【００４１】
請求項４記載の発明によれば、前後面から収納される冷却ユニット間において、構成部品及び組み立て作業が共通化され製造コストの低減を図ることができる。
【００４２】
請求項５記載の発明によれば、冷却ユニットの操作性、点検作業性が向上する。
【００４３】
請求項６記載の発明によれば、冷却空気の吸い込み及び排気が断熱箱体の前面及び後面にて行われるので、障害物によって冷却空気の取り入れ口や排気口が塞がれる虞れが少なく、据え付け性能が向上する。
【００４４】
請求項７記載の発明によれば、冷却空気の流通が円滑に行われ、冷却空気の流通抵抗が低減され、消費電力が低減される。
【００４５】
請求項８記載の発明によれば、補助排気口により冷却空気の流通抵抗が低減され、消費電力が低減される。
【００４６】
請求項９記載の発明によれば、外観上前後の区別がなくなるので使用勝手が向上する。
【図面の簡単な説明】
【図１】  本発明の実施形態に係るパススルー型冷蔵庫の縦断面図である。
【図２】  図１のパススルー型冷蔵庫の側面外板を取り外すとともに冷却ユニットを前後に引き出した状態の斜視図である。
【図３】  図１のパススルー型冷蔵庫の冷却ユニットの斜視図である。
【図４】  図１のパススルー型冷蔵庫の側面外板を一部切開した部分斜視図である。
【図５】  図１のパススルー型冷蔵庫の庫内扉を開放した状態の外観斜視図である。
【図６】  図１のパススルー型冷蔵庫のフロントパネルを開放した状態の外観斜視図である。
【図７】  図１におけるVIIーVII断面図である。
【符号の説明】
１…断熱箱体、２…階段状部、３…開口部、４…蓋体、５…クーリングユニット収納スペース、６…コンデンシングユニット収納スペース、１０…クーリングユニット、１１…蒸発器、１２、２３…ファンガイド、１３…蒸発器ファン、１４…蒸発器ファン用モータ、１５…固定部材、２０…コンデンシングユニット、２１…基台、２２…凝縮器、２４…凝縮器ファン、２５…凝縮器ファン用モータ、２６…圧縮機、３０…コントロールパネル、３１、３２、３３、３４…庫内扉、３５、３６…フロントパネル、３７…側面外板、３８…固定ボルト、４１…冷却空気取り入れ口、４２…排気口、４３…覗き窓、４４…補助排気口、５１…ユニットベース、５２…フレーム、６１…仕切板、６２…吸入通路、６３…開口部、６４…冷気吸入口、６６…グリル板、６７…冷気吹出口、６８…冷気案内板。
【図１】
0003640498.tif 000002
【図２】
0003640498.tif 000003
【図３】
0003640498.tif 000004
【図４】
0003640498.tif 000005
【図５】
0003640498.tif 000006
【図６】
0003640498.tif 000007
【図７】
0003640498.tif 000008